(57)【要約】【課題】綴孔を有しない紙葉の綴込具において、その綴込状態を強力に保持する構成を提供する。【解決手段】長手方向の両端部に、バンド２、３をそれぞれ止着した長尺な基板１と、この基板１との間で紙葉を挟持する長尺な押え部材１１と、押え部材１０の上面で、前記両バンドを緊締する係止扞６と操作扞７とから成る緊締手段と、この緊締状態を保持する爪片９と係止溝１３とから成る保持手段とから構成された綴込具において、前記基板１の上面幅方向の位置に、その長手方向に沿って伸びる突条部２０を設けて成る。【選択図】  図１
2004306573.tif 000002
【特許請求の範囲】
【請求項１】
長手方向の両端部にバンドをそれぞれ止着した長尺な基板と、該基板との間で紙葉を挟持する長尺な押え部材と、該押え部材の上面で前記両バンドを緊締する緊締手段と、この緊締手段の緊締状態を保持する保持手段とから構成された綴込具において、前記基板の押え部材の下面幅方向と対向する上面位置に、その長手方向に沿って伸びる突条部を設けたことを特徴とする綴込具。
【請求項２】
緊締手段が、押え部材の中間位置に、基部が摺動並びに起伏自在に支承され、かつ長手方向に複数の係止孔を有すると共に、前記基部を、一方のバンドに連結した操作部材と、先端に、前記係止孔の１つと選択的に係止する係止爪を有し、後端を、他方のバンドに連結した係止部材とから成り、保持手段が、前記操作部材と、前記押え部材との間で係脱可能であって、バンドを緊張した操作部材の伏倒状態で操作部材を押え部材に係止する機構から成る請求項１記載の綴込具。
【請求項３】
突条部を、基板の幅方向における綴込側と反対側位置に設けて成る請求項１または２記載の綴込具。
【請求項４】
押え部材の下面幅方向における綴込側位置に、長手方向に沿って伸びる突条部を設けて成る請求項３記載の綴込具。
【請求項５】
操作レバーを回動することにより、クランク軸に支持された長尺な平板状の押え部材を、スプリングに抗して下降することにより、基板上面と押え部材の下面との間で、紙葉を挟持する構成の綴込具において、前記押え部材の下面幅方向における綴込側位置と、前記基板の上面における押え部材の下面と対向する幅方向の綴込側と反対側位置とに、それぞれ長手方向に沿って伸びる突条部を設けたことを特徴とする綴込具。
【発明の詳細な説明】
【０００１】
【産業上の利用分野】
本願は、綴孔を有しない紙葉の綴込具に関する。
【０００２】
【従来の技術】
特許文献１．実開昭６１−５６０８４号公報
特許文献２．特公平６−３９１９４号公報
特許文献３．特開平８−１７５０６７号公報
従来、綴孔を有しない紙葉の綴込具として、例えば特許文献１で示されるように、操作レバーを回動することにより、クランク軸に支持された長尺な押え部材を、コイルスプリングに抗して押し下げることにより、基板と押え部材との間で紙葉を挟持するレバー式の綴込具、および特許文献２で示されるように、長手方向の両端部に、先端に係合爪を有する左右１対のバンドの後端をそれぞれ止着した長尺な基板と、この基板との間で紙葉を挟持する押え部材と、この押え部材の長手方向の中間位置にそれぞれ内方に起伏自在に拒着され、かつ長手方向に前記係合爪と選択的に係合する複数の係合孔を配設した左右１対の操作扞と、前記押え部材に摺動自在に支持され、前記操作扞の伏倒状態を保持する左右１対の保持部材とから成り、各操作扞を起立した状態で係止爪を係止孔の任意の１つにそれぞれ係止し、この状態で各操作扞を押え部材の上面に伏倒して両バンドを緊張し、この緊張状態で、各操作扞の伏倒状態をそれぞれ保持部材により保持することにより、紙葉を基板と押え部材との間で綴り込む構成のバンド式の綴込具或いは特許文献３で示されるように、両端部にバンドの後端をそれぞれ止着した長尺な基板と、この基板との間で紙葉を挟持する押え部材と、この押え部材の長手方向の中間位置に、基部が長手方向に摺動並びに起伏自在に支承され、かつ、長手方向に複数の係止孔を有すると共に、前記基部に、前記一方のバンドの先端を連結した操作扞と、前記他方のバンドの先端に連結され、かつ、前記係止孔の１つと選択的に係止する係止爪を先端に有した係止扞と、押え部材の面上に対する操作扞の伏倒状態を保持する保持手段とから成り、操作扞の起立状態で、任意の１つの係止孔に係止爪を係止し、この状態で操作扞を押え部材の面上に伏倒してバンドを緊張すると共に、操作扞の伏倒状態を保持手段により保持することにより、紙葉を基板と押え部材との間に綴り込む構成のバンド式の綴込具は公知である。
【０００３】
【発明が解決しようとする課題】
ところで、上記した綴孔を有しない紙葉を対象とする綴込具において重要なことは、紙葉の綴込厚の多少に不拘、常に綴込状態を確実に保持することである。
すなわち、この種の綴込具を用いた綴込帳などにおいて、その取扱中に作用する外力或いは、誤って綴込帳などを床などに落下した場合の機械的衝撃によって綴り込まれた紙葉が綴込具より外れて分散しないように、必要充分な綴込力をもって綴込状態を確保する必要がある。
そこで、本願は、極めて簡単な構成によって強力な綴込力を確保することができる綴込具を提供するものである。
【０００４】
【課題を解決するための手段】
本願は、上記した目的を達成するために、長手方向の両端部にバンドをそれぞれ止着した長尺な基板と、該基板との間で紙葉を挟持する長尺な押え部材と、該押え部材の上面で前記両バンドを緊締する緊締手段と、この緊締手段の緊締状態を保持する保持手段とから構成された綴込具において、前記基板の押え部材の下面幅方向と対向する上面位置に、その長手方向に沿って伸びる突条部を設けたことを特徴とするものであり、具体的には、緊締手段が、押え部材の中間位置に、基部が摺動並びに起伏自在に支承され、かつ長手方向に複数の係止孔を有すると共に、前記基部を、一方のバンドに連結した操作部材と、先端に、前記係止孔の１つと選択的に係止する係止爪を有し、後端を、他方のバンドに連結された係止部材とから成り、保持手段が、前記操作部材と、前記押え部材との間で係着可能であって、バンドを緊張した操作部材の伏倒状態で操作部材を押え部材に係止する機構から成る。
【０００５】
上記において、好ましくは、突条部を、基板の幅方向における綴込側と反対側位置に設けて成り、また、押え部材の下面幅方向における綴込側位置に、長手方向に沿って伸びる突条部を設けて成るものである。
【０００６】
また、本願は、操作レバーを回動することにより、クランク軸に支持された長尺な平板状の押え部材を、スプリングに抗して下降することにより、基板上面と押え部材の下面との間で、紙葉を挟持する構成の綴込具において、前記押え部材の下面幅方向における綴込側位置と、前記基板の上面における押え部材の下面と対向する幅方向の綴込側と反対側位置とに、それぞれ長手方向に沿って伸びる突条部を設けたことを特徴とするものである。
【０００７】
【発明の実施の形態】
以上図面にもとづいて、本願発明の実施の形態を詳述する。
図１は特許文献３で示すバンド式の綴込具に実施した場合の形態を示しており、直角２辺から成る長尺な基板１は、その水平部１ａが仮想線で示す表紙版Ｐの背部Ｐ′側の内面に固着され、またその垂直部１ｂは表紙版Ｐの背部Ｐ′の内面に近接して対峙される。
前記基板１の水平部１ａの長手方向の両端部には、それぞれバンド２、３の後端が止着４されており、一方のバンド２の前端には、先端に係止爪５を有した板状の係止扞６が、また前記他方のバンド３の前端には、後述する操作部材７の基部がそれぞれ連結してある。
【０００８】
前記操作部材７は、後述する押え部材１１の上面に嵌合可能な幅をもち、断面が下向きコ字状に形成された長尺な部材から成り、その基部には、支軸８を有し、かつ前端部には、横向きに爪片９が設けてあると共に、長手方向には、前記係止爪５が選択的に係止する複数の係止孔１０が配設してある。
【０００９】
前記押え部材１１は、前記基板１とほゞ等しい長さを有し、断面が上向きコ字状に形成された部材から成り、その長手方向の中間位置の両側面に、前記支軸８の両端部を摺動並びに回動可能に支承する摺動溝１２、１２が設けてあり、さらに押え部材１１の一方の壁面には、前記爪片９と係止する係止溝１３が設けてある。
【００１０】
上記した構成は、特許文献３において公知の綴込具と基本的に相違するところはなく、本願は上記した構成の綴込具において、前記基板１の水平部１ａの上面の幅方向における綴込側と反対側の位置、すなわち基板１の垂直部１ｂと対峙する開放側の縁部ａの位置に、その長手方向に沿って突条部２０を設けて成る。
【００１１】
しかして、従来と同様に、基板１の水平部１ａと押え部材１１との間に、紙葉Ｂの綴込端部を介在した状態で、一方のバンド３を伸張しながら操作扞７を起立し、この状態で、他方のバンド２を伸張しながら係止扞６の係止爪５を選択した任意の一つの係止孔１０に係止し、この状態で操作扞７を押え部材１１の面上に伏倒すると共に、爪片９を係止溝１３に係止して操作扞７の伏倒状態を保持し、これによって、紙葉Ｂは、基板１の水平部１ａと押え部材１１との間に緊締される。
【００１２】
図２は、この緊締した綴込状態における拡大縦断面図を示しており、この綴込状態においては、基板１の水平部１ａと押え部材１１との間に挟持された紙葉Ｂは、綴込側ａと反対側の位置ｂにおいて、押え部材１１の下面と突条部２０とによって線圧接され、しかも紙葉Ｂの被挟持部は綴込側ａと反対側の位置ｂすなわち開放側で高くなるように、上向きの傾斜状態となるので、これが、紙葉Ｂを引き抜こうとする方向に働く引張力Ｗに対し抵抗として作用する。
すなわち、紙葉Ｂが突条部２０の位置を抜けようとするためには、突条部２０と対向する位置の押え部材１１の下面を上向きに押し上げる作用を必要とし、これが引張力Ｗに対し抵抗として作用するので、図５で示すように、押え部材１１の下面が、基板１の水平部１ａと平行した状態で紙葉Ｂが綴り込まれる従来公知の綴込具に比し、強力な綴込力を得ることができる。
【００１３】
図３、４は、さらに強力な綴込力を得るための他の実施例を示すもので、この実施例は、さきに詳述した第１実施例において、図３で示すように、押え部材１１の下面に、例えば合成樹脂からなり、前記押え部材１１の下面に合致する大きさの板片１５の１縁に沿って第２の突条部２１を設け、この板片１５を、第２の突条部２１が押え部材１１の下面に対し、その綴込側ａに位置するように固着して成るものである。
【００１４】
図４は、このように構成された押え部材１１を用いた場合の綴込状態における断面図を示しており、この構成によれば、紙葉Ｂは、綴込側ａにおいて第２の突条部２１と押え部材１１とにより線圧接され、すなわち紙葉Ｂは、押え部材１１の幅方向で対峙し、かつ突出方向が相対する２箇所で線圧接されるので、より一層強力な綴込状態を得ることができる。
【００１５】
図６、７は、上記した第２の実施例における構成、すなわち押え部材１１の幅方向で対峙し、かつ突出方向が相対する２箇所で紙葉Ｂを強力に挟持する構成を、レバー式の綴込具に適用した場合の第３の実施例を示している。
【００１６】
すなわち、図６において、３１は基板でその１側縁に壁板３２が直角状に設けてあり、この基板１には、長手方向の４箇所に、切り越しにより当片３３が前記壁板３２と対向するように設けてある。
前記当片３３の中間位置にある当片３３ａと壁板３２との間には、軸３４が支承してあり、この軸３４の一端に、断面コ字状に形成された操作レバー３５の基部が回転可能に取り付けてある。
【００１７】
前記軸３４には、コイルスプリング３６が嵌挿されており、このコイルスプリング３６の一端は、軸芯と直交する方向に伸びていて、その伸長部３６ａが操作レバー３５の長手方向に形成された内溝に係止され、またコイルスプリング３６の他端も軸芯に対し直交する方向に伸びたのち、さらにＬ字状に屈曲され、その先端に屈曲片３６ｂを有している。
前記軸３４を支承した当片３３ａの前後に位置する当片３３ｂと３３ｃと壁面３２との間には、両端が逆方向に屈曲されたクランク片３７の後腕３７ａがそれぞれ挿通してある。
【００１８】
前記基板３１との間で紙葉Ｂを挟持する押え部材３８は、長尺な平板から成り、この押え部材３８は、その長手方向の３箇所において、幅方向に延びる前記コイルスプリング３６の屈曲片３６ａと前記クランク片３７の各先腕３７ｂにより支持されている。
すなわち、押え部材３８の上面に固定板３９を重合固着することにより、前記屈曲片３６ｂと前記クランク軸３７の先腕３７ｂは、それぞれ押え部材３８と固定板３９との間で回動可能に支承される。
【００１９】
以上は従来公知のレバー式の綴込具を基本的に相違するところはなく、本願は、このように構成されたレバー式の綴込具において、前記押え部材３８の下面幅方向における綴込側ａの位置と、前記基板３１の上面における押え部材３８の下面と対向する幅方向の綴込側ａと反対側の位置ｂとに、それぞれ長手方向に沿って伸びる突条部４０と４１を設けて成るものである。
なお、図中４２は操作レバー３５の側面に設けた係止片、４３は操作レバー３５の伏倒状態を保持するために、前記係止片４２を係止する係止孔である。
【００２０】
しかして、この構成によれば、すでに第２実施例において詳述したように、図７で示す如く、紙葉Ｂは、綴込側ａの位置においては突条部４０により、また綴込側と反対側の位置ｂにおいては、突条部４１によりそれぞれ線圧接されると共に、紙葉Ｂは綴込側ａにおいて下向きに、それと反対側の位置ｂにおいて上向きに押圧され、しかも押え部材３８の水平状態は保持されるので、全体として強力な綴込状態を確保することができる。
【００２１】
【発明の効果】
以上詳記したように、本願によれば、紙葉の強力な綴込状態を確保することができ、しかも構成が簡単であって、綴孔を有しない紙葉の綴込具として極めて有益な発明である。
【図面の簡単な説明】
【図１】一部切欠して示したバンド式の綴込具の総体斜視図
【図２】綴込状態を示す拡大断面図
【図３】押え部材の下面斜視図
【図４】図２に対応する他の実施例図
【図５】図２に対応する従来の構成図
【図６】レバー式の綴込具の総体斜視図
【図７】図６における綴込状態を示す拡大断面図
【符号の説明】
１、３１  基板
２、３  バンド
５      係止爪
６      係止扞
７      操作扞
１０    係止孔
１１、３８  押え部材
２０、２１、４０、４１  突条部
３３    当片
３４    軸
３５    操作レバー
３６    コイルスプリング
３７    クランク片
ａ    綴込側
ｂ    綴込側と反対側
Ｂ    紙葉
【図１】
2004306573.tif 000003
【図２】
2004306573.tif 000004
【図３】
2004306573.tif 000005
【図４】
2004306573.tif 000006
【図５】
2004306573.tif 000007
【図６】
2004306573.tif 000008
【図７】
2004306573.tif 000009